(57)【要約】【課題】復元弾性をもつ板状のクッション本体からクッション体を取り外すことによって、クッション本体に刳貫穴部を形成することができ、クッション本体を介護用椅子、車椅子などの座席や運転座席上に設置し、クッション本体に臀部の坐骨の左右の凸部、仙骨、恥骨などの骨盤や尾骨位置を考慮して定められた位置及び形状の刳貫穴部が存在することにより、使用者の坐骨の左右の凸部に対応する臀部の局部への過度の体圧負荷を抑制することができ、局部への刺激を緩和することもでき、褥そうの予防及び褥そうの軽減を図ることができる。【解決手段】復元弾性をもつクッション本体１に刳貫穴部２を形成し、刳貫穴部に復元弾性をもつクッション体３を嵌脱自在に設けてなる。【選択図】図１
0003130702.tif 000002
【実用新案登録請求の範囲】
【請求項１】
復元弾性をもつ板状のクッション本体に刳貫穴部を形成し、該刳貫穴部に復元弾性をもつクッション体を嵌脱自在に設けてなることを特徴とするクッション。
【請求項２】
上記クッション本体に複数個の小通穴を形成してなることを特徴とする請求項１記載のクッション。
【考案の詳細な説明】
【技術分野】
【０００１】
本考案は例えば褥そう予防用又は褥そう患者に用いられる座位用のクッションに関するものである。
【背景技術】
【０００２】
従来、この種のクッションとして、四角板状のクッション体の中央部に穴を形成し、痔の疾患を有する患者が着座した際の患部への刺激を緩和する構造のものものが知られている。
【特許文献１】特開２００２−３３６０９３号公報
【考案の開示】
【考案が解決しようとする課題】
【０００３】
しかしながら上記従来構造の場合、長期療養生活を余儀なくされている寝たきりの高齢者や車椅子生活者の大きな悩みである褥そうの発生を予防し、軽減するまでは必ずしも至っていないという不都合を有している。
【０００４】
すなわち、長時間車椅子生活や座位姿勢を繰り返していると、使用者たる患者や被介護者の臀部に持続的な圧迫が加えられたり、着座面等に摩擦したりすることにより、その深部の組織が血行不全に陥り、壊死創傷などの褥そうができることがあり、特に寝たきりの高齢者、麻痺があり自分で体を動かすことや、痛みを感じない障害のある人などが起こし易く、褥そうができてしまうと、細菌感染をおこし易くなり、全身の病気を引き起こし易くなり、全身の機能低下も生ずることがあり、皮膚の発赤、皮膚のただれ、皮下脂肪組織の壊死、潰瘍へと進み、筋組織、骨、腱にまでに及ぶことがあり、このため、早い段階で兆候を見つけて対応することが必要であるとされ、しかも、褥そうは、体重がかかりやすい、臀部の左右の坐骨、仙骨、尾骨の三箇所の部位におきやすいとされている。
【課題を解決するための手段】
【０００５】
本考案はこれらの不都合を解決することを目的とするもので、本考案のうちで、請求項１記載の考案は、復元弾性をもつ板状のクッション本体に刳貫穴部を形成し、該刳貫穴部に復元弾性をもつクッション体を嵌脱自在に設けてなることを特徴とするクッションにある。
【０００６】
又、請求項２記載の考案は、上記クッション本体に複数個の小通穴を形成してなることを特徴とするものである。
【考案の効果】
【０００７】
本考案は上述の如く、請求項１記載の考案にあっては、復元弾性をもつ板状のクッション本体からクッション体を取り外すことによって、クッション本体に刳貫穴部を形成することができ、クッション本体を介護用椅子、車椅子などの座席や運転座席上に設置し、クッション本体に臀部の坐骨の左右の凸部、仙骨、恥骨などの骨盤や尾骨位置を考慮して定められた位置及び形状の刳貫穴部が存在することにより、使用者の坐骨の左右の凸部に対応する臀部の局部への過度の体圧負荷を抑制することができ、局部への刺激を緩和することもでき、かつ、刳貫穴部の存在により通気性機能を得ることができ、局部の発赤や皮膚のただれを抑制することができ、清潔性を高めることができ、褥そうの予防及び褥そうの軽減を図ることができ、長時間の座位姿勢によって刳貫穴部への臀部の局部のはまり込みにより血行障害を起こすおそれがあるときは、刳貫穴部にクッション体を嵌着することができ、それだけ、褥そうの予防及び褥そうの軽減を図ることができ、かつ、クッション本体の刳貫穴部にクッション体が嵌脱自在に設けられていることにより、幼児のはめ込み遊具として用いたり、刳貫穴部を覗き穴としたり、手腕の差し込み遊具として用いたりすることができ、遊戯的要素も期待することもできる。
【０００８】
又、請求項２記載の考案にあっては、クッション本体に複数個の小通穴を形成しているから、複数個の小通穴の存在により通気性機能を得ることができ、臀部の局部の発赤や皮膚のただれを抑制することができ、清潔性を高めることができ、一層、褥そうの予防及び褥そうの軽減を図ることができる。
【考案を実施するための最良の形態】
【０００９】
図１乃至図１５は本考案の実施の形態例を示し、図１乃至図６は第一形態例、図７乃至図９は第二形態例、図１０乃至図１２は第三形態例、図１３乃至図１５は第四形態例である。
【００１０】
図１乃至図６の実施の第一形態例において、１はクッション本体であって、例えば、直径約２０〜４０ｃｍ、好ましくは、直径約３０ｃｍ、板厚約１０ｍｍ〜３０ｍｍ、好ましくは約２０ｍｍ程度の復元弾性をもつ板状の円盤状部材により形成され、クッション本体１の材質としては、エチレンとポリプロピレンゴムからなるスポンジ状重合体が用いられ、その他、例えば、合成ゴム、天然ゴムなどの各種のゴム、ＥＶＡ樹脂（エチレン−酢酸ビニル共重合樹脂）、ポリウレタン樹脂、ポリエチレン樹脂、塩化ビニル樹脂及びポリプロピレン樹脂のいずれか１つのゴム又は樹脂、これら樹脂とゴムとの複合材料、或いはそれらの発泡体により形成されている。
【００１１】
２は刳貫穴部であって、この場合、使用者Ｋの臀部Ｗの坐骨の左右の凸部、仙骨、恥骨などの骨盤や尾骨位置を考慮して、内径約１０ｃｍ程度の二個の穴２ａ・２ａ、内径約６ｃｍ程度の１個の穴２ｂを形成して計三個の円形状の刳貫穴部２を形成している。
【００１２】
３はクッション体であって、上記クッション本体１と同様な材質及び板厚により形成され、上記三個の刳貫穴部２に嵌脱可能な直径約１０ｃｍ程度の２個の復元弾性をもつ円盤状部材３ａ・３ａ及び直径約６ｃｍ程度の１個の復元弾性をもつ円盤状部材３ｂからなる計３個のクッション体３となっている。
【００１３】
この実施の第一形態例は上記構成であるから、復元弾性をもつ板状のクッション本体１からクッション体３を取り外すことによって、クッション本体１に三個の刳貫穴部２・２・２を形成することができ、図４の如く、このクッション本体１を介護用椅子、車椅子などの座席や運転座席上に設置して使用することになり、この際、クッション本体１に臀部Ｗの坐骨の左右の凸部、仙骨、恥骨などの骨盤や尾骨位置を考慮して定められた位置及び形状の三個の刳貫穴部２・２・２が存在することにより、図５の如く、使用者Ｋの坐骨の左右の凸部に対応する臀部の局部への過度の体圧負荷を抑制することができ、局部への刺激を緩和することもでき、かつ、刳貫穴部２の存在により通気性機能を得ることができ、局部の発赤や皮膚のただれを抑制することができ、清潔性を高めることができ、褥そうの予防及び褥そうの軽減を図ることができ、長時間の座位姿勢によって三個の刳貫穴部２・２・２への臀部Ｗの局部のはまり込みにより血行障害を起こすおそれがあるときは、三個の刳貫穴部２のすべて又はいずれかにクッション体３を嵌着することができ、それだけ、褥そうの予防及び褥そうの軽減を図ることができる。
【００１４】
また、クッション本体１の刳貫穴部２にクッション体３が嵌脱自在に設けられていることにより、図６の如く、幼児のはめ込み遊具として用いたり、刳貫穴部２を覗き穴としたり、手腕の差し込み遊具として用いたりすることができ、遊戯的要素を期待することもできる。
【００１５】
図７乃至図９の第二形態例は別例構造を示し、この場合、上記第一形態例のクッション本体１に複数個の貫通する小通穴４を形成した構造となっている。
【００１６】
この実施の第二形態例にあっては、上記第一形態例と同様な作用効果を得ることができると共に上記複数個の小通穴４の存在により通気性機能を得ることができ、局部の発赤や皮膚のただれを抑制することができ、清潔性を高めることができ、一層、褥そうの予防及び褥そうの軽減を図ることができる。
【００１７】
図１０乃至図１２の第三形態例は別例構造を示し、この場合、使用者Ｋの臀部Ｗの坐骨の左右の凸部、仙骨、恥骨などの骨盤や尾骨位置を考慮して、内径約１０ｃｍ程度の穴２ａ・２ａからなる刳貫穴部２を二個形成し、かつ、上記クッション本体１と同様な材質及び板厚により形成され、上記二個の刳貫穴部２に嵌脱可能な直径約１０ｃｍ程度の２個の復元弾性をもつ円盤状部材３ａ・３ａからなる二個のクッション体３を設けて構成している。
【００１８】
この実施の第三形態例にあっても、上記第一形態例とほぼ同様な作用効果を得ることができる。
【００１９】
図１３乃至図１５の第四形態例は別例構造を示し、この場合、使用者Ｋの臀部Ｗの坐骨の左右の凸部、仙骨、恥骨などの骨盤や尾骨位置を考慮して、大きな楕円形状の穴２ｃからなる一個の刳貫穴部２を形成し、かつ、上記クッション本体１と同様な材質及び板厚により形成され、上記一個の刳貫穴部２に嵌脱可能な１個の復元弾性をもつ楕円状部材３ｃからなる１個のクッション体３を設けて構成している。
【００２０】
この実施の第四形態例にあっても、上記第一形態例とほぼ同様な作用効果を得ることができる。
【００２１】
尚、本考案は上記実施の形態例に限られるものではなく、例えば、クッション本体１は円盤状に限らず、四角板状、三角板状、楕円板状等の各種の輪郭を採用することができ、又、刳貫穴部２及び小通穴４の形状も円形穴に限らず、楕円穴形や三角穴形、星形穴等の各種形状の穴を採用し、これに合わせて、クッション体３を形成することもでき、クッション本体１、刳貫穴部２、クッション体３、小通穴４の形態や大きさ、材質、硬度等は適宜変更して設計されるものである。
【００２２】
以上、所期の目的を充分達成することができる。
【図面の簡単な説明】
【００２３】
【図１】本考案の実施の第一形態例の全体斜視図である。
【図２】本考案の実施の第一形態例の平面図である。
【図３】本考案の実施の第一形態例の分離斜視図である。
【図４】本考案の実施の第一形態例の使用状態図である。
【図５】本考案の実施の第一形態例の使用状態説明図である。
【図６】本考案の実施の第一形態例の使用状態説明図である。
【図７】本考案の実施の第二形態例の全体斜視図である。
【図８】本考案の実施の第二形態例の平面図である。
【図９】本考案の実施の第二形態例の分離斜視図である。
【図１０】本考案の実施の第三形態例の全体斜視図である。
【図１１】本考案の実施の第三形態例の平面図である。
【図１２】本考案の実施の第三形態例の分離斜視図である。
【図１３】本考案の実施の第四形態例の全体斜視図である。
【図１４】本考案の実施の第四形態例の平面図である。
【図１５】本考案の実施の第四形態例の分離斜視図である。
【符号の説明】
【００２４】
１    クッション本体
２    刳貫穴部
３    クッション体
４    小通穴
【図１】
0003130702.tif 000003
【図２】
0003130702.tif 000004
【図３】
0003130702.tif 000005
【図４】
0003130702.tif 000006
【図５】
0003130702.tif 000007
【図６】
0003130702.tif 000008
【図７】
0003130702.tif 000009
【図８】
0003130702.tif 000010
【図９】
0003130702.tif 000011
【図１０】
0003130702.tif 000012
【図１１】
0003130702.tif 000013
【図１２】
0003130702.tif 000014
【図１３】
0003130702.tif 000015
【図１４】
0003130702.tif 000016
【図１５】
0003130702.tif 000017